(57)【要約】【課題】分離器を圧縮空気圧回路に接続する際の作業効率を向上させ、部品点数も減少させる圧縮空気圧回路用の分離器を提供する。【解決手段】圧縮空気圧回路用の分離器１は、圧縮空気が流れる圧縮空気圧回路を形成する配管３に取り付けられて圧縮空気圧回路の一部を構成する中空筒形状の分離器本体４と、この分離器本体４の一方の端部から延びて配管３に接続されるべき接続部５とを備え、接続部５は、配管３側に配された受け部１０、及び分離器本体４側に配されて受け部１０に対して挿入されて圧入される圧入部１１を有している。【選択図】        図２
2019136629.tif 000002
【特許請求の範囲】
【請求項１】
圧縮空気が流れる圧縮空気圧回路を形成する配管に取り付けられて前記圧縮空気圧回路の一部を構成する中空筒形状の分離器本体と、
該分離器本体の一方の端部から延びて前記配管に接続されるべき接続部とを備え、
前記接続部は、前記配管側に配された受け部、及び前記分離器本体側に配されて前記受け部に対して挿入されて圧入される圧入部を有していることを特徴とする圧縮空気圧回路用の分離器。
【請求項２】
前記接続部は前記配管から上方に向けて延びていて、
前記分離器本体はその両端を閉塞して前記分離器本体よりも外方に広がる上蓋及び下蓋を有し、
該上蓋及び下蓋は前記分離器本体の周囲に配された複数本の結束ボルトにて互いに関連して固定されていて、
前記結束ボルトは前記分離器本体を載置する架台に対して固定されていることを特徴とする請求項１に記載の圧縮空気圧回路用の分離器。
【請求項３】
前記分離器本体は、前記圧入部の前記受け部への圧入によって圧縮空気が前記接続部から漏れない適正接続位置を有し、
前記架台の前記分離器本体を載置する載置面は、前記適正接続位置にある前記分離器本体の下面と同一又はそれよりも低い位置に形成されていることを特徴とする請求項２に記載の圧縮空気圧回路用の分離器。
【請求項４】
前記接続部は前記配管から下方に向けて延びていて、
前記分離器本体はその両端を閉塞して前記分離器本体よりも外方に広がる上蓋及び下蓋を有し、
該上蓋及び下蓋は前記分離器本体の周囲に配された複数本の結束ボルトにて互いに関連して固定されていることを特徴とする請求項１に記載の圧縮空気圧回路用の分離器。
【発明の詳細な説明】
【技術分野】
【０００１】
本発明は、圧縮空気が流れる圧縮空気圧回路に配され、圧縮空気に含まれる異物を分離除去するための圧縮空気圧回路用の分離器に関するものである。
【背景技術】
【０００２】
圧縮空気に含有されるオイルミストやオゾン等の異物を分離除去するための分離器が知られている（例えば特許文献１参照）。この分離器は、圧縮空気が流れる圧縮空気圧回路の一部として配され、圧縮空気がこの分離器を通過する際に異物を除去するものである。
【０００３】
図３は従来の分離器を圧縮空気圧回路に配したときの概略図である。図示したように、圧縮空気圧回路５１は圧縮空気が流れる配管５２を有している。この配管５２には分離器５３が接続されている。圧縮空気は配管５２から分離器５３を通り、異物が除去される。
【０００４】
この分離器５３と配管５２との接続は、ユニオン継手５４を用いて行われている。作業者は配管５２に取り付けられたユニオン継手５４に向けて分離器５３を差し込み、スパナ等を用いてナット部分を回して互いを接続している。
【先行技術文献】
【特許文献】
【０００５】
【特許文献１】特開２０１５−２０１１２号公報
【発明の概要】
【発明が解決しようとする課題】
【０００６】
しかしながら、分離器はかなりの重量があるため、支持台となる架台が必要となる。この架台があるため、分離器の下側にはスペースがあまりなく、この狭小なスペースにて作業者がナット部分を回すことは非常に困難である。また、継手となるユニオン継手も別途用意する必要がある。
【０００７】
本発明は、上記従来技術を考慮したものであり、分離器を圧縮空気圧回路に接続する際の作業効率を向上させ、部品点数も減少させる圧縮空気圧回路用の分離器を提供することを目的とする。
【課題を解決するための手段】
【０００８】
前記目的を達成するため、本発明では、圧縮空気が流れる圧縮空気圧回路を形成する配管に取り付けられて前記圧縮空気圧回路の一部を構成する中空筒形状の分離器本体と、該分離器本体の一方の端部から延びて前記配管に接続されるべき接続部とを備え、前記接続部は、前記配管側に配された受け部、及び前記分離器本体側に配されて前記受け部に対して挿入されて圧入される圧入部を有していることを特徴とする圧縮空気圧回路用の分離器を提供する。
【０００９】
好ましくは、前記接続部は前記配管から上方に向けて延びていて、前記分離器本体はその両端を閉塞して前記分離器本体よりも外方に広がる上蓋及び下蓋を有し、該上蓋及び下蓋は前記分離器本体の周囲に配された複数本の結束ボルトにて互いに関連して固定されていて、前記結束ボルトは前記分離器本体を載置する架台に対して固定されている。
【００１０】
好ましくは、前記分離器本体は、前記圧入部の前記受け部への圧入によって圧縮空気が前記接続部から漏れない適正接続位置を有し、前記架台の前記分離器本体を載置する載置面は、前記適正接続位置にある前記分離器本体の下面と同一又はそれよりも低い位置に形成されている。
【００１１】
好ましくは、前記接続部は前記配管から下方に向けて延びていて、前記分離器本体はその両端を閉塞して前記分離器本体よりも外方に広がる上蓋及び下蓋を有し、該上蓋及び下蓋は前記分離器本体の周囲に配された複数本の結束ボルトにて互いに関連して固定されている。
【発明の効果】
【００１２】
本発明によれば、接続部は受け部と圧入部とで構成されているので、両者の接続作業が容易となる。特に接続部を圧縮空気圧回路が流れる配管から上方に向けて配することで、分離器本体に形成された圧入部はその分離器本体の重みにより自重にて受け部に圧入されることになる。これは圧縮空気圧回路に用いられる分離器が単体で非常に重量があるからこそ得られる効果であり、この重みを利用した接続容易性を実現するものである。そしてこのように接続部を構成することで、別途ユニオン継手等の接続部材を省略することができるので、部品点数が減少し、取り扱い性が向上する。
【００１３】
圧縮空気圧回路に用いられる分離器の重みを接続部のみで受けることがないように、分離器本体を架台に載置することでその重みを分散させることができる。架台の高さを分離器本体が適正に接続された位置と同一又はこれよりも低い位置にしておくことで、確実に分離器本体の重みにて圧入部を受け部に差し込むことができ、接続部から圧縮空気が漏れることを防止できる。
【図面の簡単な説明】
【００１４】
【図１】本発明に係る圧縮空気圧回路用の分離器の概略図である。
【図２】接続部近傍の概略図である。
【図３】本発明に係る別の圧縮空気圧回路用の分離器の概略図である。
【図４】従来の圧縮空気圧回路用の分離器の概略図である。
【発明を実施するための形態】
【００１５】
図示したように、本発明に係る圧縮空気圧回路用の分離器１は、圧縮空気圧回路２の一部を構成している。すなわち、圧縮空気は分離器１内も流れて流通する。具体的には、圧縮空気圧回路２を形成する配管３があり、この配管３に分離器１が接続されて圧縮空気圧回路２の一部を形成している。分離器１は中空筒形状の分離器本体４と配管３に接続するための接続部５とを備えている。分離器本体４内には濾過材６が充填されている。この濾過材６があることで、圧縮空気に含まれるオイル等の異物は分離除去される。濾過材６としては、例えばオイルを吸着する材質（ポリエチレン、ポリプロピレン、ポリエチレンテレフタラート等）のもの含めて用いることができる。
【００１６】
図１の例では、床面に沿って配された配管３に三方継手（チーズ）７が取り付けられ、ここから上方に向けて分離器１が取り付けられている。なお、図の例ではチーズ７からもう一方に延びる配管８も図示しているが、バルブ９によりその端部は閉じられている。上述した接続部５は、この配管３に接続されたチーズ８に対して接続される。詳しくは、接続部５は受け部１０と圧入部１１とからなり、配管３側には受け部１０が、分離器本体４側には圧入部１１が配されている。圧入部１１は受け部１０に対して挿入されて圧入されている。
【００１７】
分離器本体４はその両端が上蓋１２及び下蓋１３により閉塞されている。この上蓋１２及び下蓋１３は分離器本体４よりも外方に広がる径を有している。したがって、上蓋１２及び下蓋１３は分離器本体４から外方にはみ出た突出部分１４を有してる。この突出部分１４には貫通孔が形成されていて、ここに結束ボルト１５が挿通されている。この結束ボルト１５は複数本配され、上蓋１２及び下蓋１３を互いに結束し、結束することで互いに近接するように作用させる。すなわち、分離器本体４内を密閉するように作用する。結束ボルト１５はナット１６にて確実に締められる。結束ボルト１５は下方に向けてさらに延びていて、分離器本体４を載置するための架台１７に固定されている。詳細には下蓋１３の下側に結束ボルト１５を固定するためのナット１６があるため、分離器本体４はこのナット１６を介して架台１７に載置されている。架台１７の下側にはさらにナット１８があり、これが結束ボルト１５の下端と螺合して確実に固定される。このような架台１７を備えることで、圧縮空気圧回路に用いられる分離器本体４の重みを接続部５のみで受けることがないようにでき、分離器本体４を架台１７に載置することでその重みを分散させることができる。
【００１８】
上蓋１２及び下蓋１３はその中央に貫通孔が形成されていて、上蓋１２には出口配管１９が、下蓋１３には接続部５が接続される。上述したように、接続部５は圧入部１１と受け部１０とからなり、下蓋１３の貫通孔には圧入部１１の一方の端部が接続固定される（図２では圧入して固定）。圧入部１１は中空の略円筒形状であり、下蓋１３側とは反対側の他方の端部が受け部１０に圧入される。従って、受け部１０の圧入部１１が圧入される一方の端部は圧入部１１の径より大きく、これを受け入れられる径に設定される。受け部１０の他方の端部はチーズ７に例えば圧入して接続固定されている。
【００１９】
受け部１０に圧入部１１が圧入された際、受け部１０の内壁面と圧入部１１の外表面とは密着し、流れる圧縮空気が漏れないようにしている。この漏れをさらに確実に減少させるため、圧入部１１の圧入端部にはＯリング２０（図では２つ）が配設されている。
【００２０】
実際に分離器１を設置する際は、配管３に取り付けられたチーズ７に対して受け部１０を取り付ける。そして下蓋１３に圧入部１１が取り付けられた状態で上方から圧入部１１を受け部１０に挿入する。このとき、分離器本体４は圧縮空気用であるためかなりの重量を有しているので、そのまま自重にて圧入される。作業者としては圧入部１１と受け部１０との位置合わせのみ行えばあとはほぼ自動的に接続可能となる。
【００２１】
このように、接続部５は受け部１０と圧入部１１とで構成されているので、両者の接続作業が容易となる。特に接続部５を圧縮空気圧回路が流れる配管３から上方に向けて配することで、分離器本体４に形成された圧入部１１はその分離器本体４の重みにより自重にて受け部１０に圧入されることになる。これは圧縮空気圧回路に用いられる分離器本体４が単体で非常に重量があるからこそ得られる効果であり、この重みを利用した接続容易性を実現するものである。そしてこのように接続部５を構成することで、別途ユニオン継手等の接続部材を省略することができるので、部品点数が減少し、取り扱い性が向上する。
【００２２】
ここで、圧入部１１がしっかりと圧入されて圧縮空気が接続部５にて漏れない程度まで受け部１０に圧入された位置を適正接続位置とする。このとき、架台１７の分離器本体４を載置する載置面は、適正接続位置にある分離器本体４の下面（下側のナット１６の下面）と同一又はそれよりも低い位置に形成されていることが好ましい。これにより、圧入部１１の受け部１０への圧入時に分離器本体４の下面が架台１７に当接して途中で圧入が止まってしまうことが防止され、確実に分離器本体４の重みにて圧入部１１を受け部１０に差し込むことができ、接続部５から圧縮空気が漏れることを防止できる。
【００２３】
なお、図３に示すように、接続部５を上蓋１２側に取り付けてもよい。分離器本体４の上側にある配管２１にチーズ２２を設け、ここに上述した構成と同様な接続部５を取り付ければよい。このような構成によっても、簡易且つ迅速な接続作業を実現できる。図３に示すように接続部５を圧縮空気圧回路用の分離器１の上下両方に備えれば、圧縮空気圧回路２の形成が容易となり、さらに作業性は向上する。
【符号の説明】
【００２４】
１：圧縮空気圧回路用の分離器、２：圧縮空気圧回路、３：配管、４：分離器本体、５：接続部、６：濾過材、７：三方継手（チーズ）、８：配管、９：バルブ、１０：受け部、１１：圧入部、１２：上蓋、１３：下蓋、１４：突出部分、１５：結束ボルト、１６：ナット、１７：架台、１８：ナット、１９：出口配管、２０：Ｏリング、２１：配管、２２：チーズ、５１：圧縮空気圧回路、５２：配管、５３：分離器、５４：ユニオン継手
【図１】
2019136629.tif 000003
【図２】
2019136629.tif 000004
【図３】
2019136629.tif 000005
【図４】
2019136629.tif 000006
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
圧縮空気が流れる圧縮空気圧回路を形成する配管に取り付けられて前記圧縮空気圧回路の一部を構成するとともに圧縮空気から異物を分離除去するための中空筒形状の分離器本体と、
該分離器本体の一方の端部から延びて前記配管に接続されるべき接続部とを備え、
前記接続部は、前記配管側に配された受け部、及び前記分離器本体側に配されて前記受け部に対して挿入されて圧入される圧入部を有し、
前記分離器本体はその両端を閉塞して前記分離器本体よりも外方に広がる上蓋及び下蓋を有し、
該上蓋及び下蓋は前記分離器本体の周囲に配された複数本の結束ボルトにて互いに関連して固定されていて、
前記上蓋及び下蓋は前記結束ボルトの上下方向に配されたナットにより互いに近接されて前記分離器本体を密閉し、
前記分離器本体は架台に載置され、
前記分離器本体は、前記圧入部の前記受け部への圧入によって圧縮空気が前記接続部から漏れない適正接続位置を有し、
前記適正接続位置は、前記下蓋側の前記ナットの下面が前記架台に接した位置であり、
前記分離器本体は、前記適正接続位置にて前記結束ボルトの下端が前記架台に対して貫通した状態でさらに螺合され固定されていることを特徴とする圧縮空気圧回路用の分離器。
【手続補正２】
【補正対象書類名】明細書
【補正対象項目名】０００３
【補正方法】変更
【補正の内容】
【０００３】
図４は従来の分離器を圧縮空気圧回路に配したときの概略図である。図示したように、圧縮空気圧回路５１は圧縮空気が流れる配管５２を有している。この配管５２には分離器５３が接続されている。圧縮空気は配管５２から分離器５３を通り、異物が除去される。